(57)【要約】【課題】脱着作業性が良い高周波シールドケースとその取付方法を提供する。【解決手段】  基板５に搭載された電子回路のシールド用の蓋１の取付底面の溝１１に、基板５のシールド用のグランドと接触する導電性のパッキン２を挿入し、基板５にアンカー４と蓋１にフック３を取付け、パッキン２の圧縮反発力を利用しフック３をアンカー４引掛固定することにより蓋１を基板５に保持、固定する。【選択図】図１
2008244130.tif 000002
【特許請求の範囲】
【請求項１】
回路基板に設けられた電子回路を電気的にシールドする高周波シールドケースにおいて、
前記回路基板のシールド用の導電部分と接触する導電性のパッキンと、
前記回路基板と前記パッキンを挟んで取り付けられるシールド用の蓋と、
前記回路基板と前記蓋とを引っ掛けて固定する引掛固定手段とを備えることを特徴とする高周波シールドケース。
【請求項２】
回路基板に設けられた電子回路を電気的にシールドする高周波シールドケースにおいて、
前記回路基板のシールド用の導電部分と押圧力を生じて接触出来る導電性のパッキンと、
前記回路基板との取付底面に前記パッキンが頭出しをして充填される溝を有するシールド用の蓋と、
前記回路基板と前記蓋とを引っ掛けて固定する引掛固定手段とを備えることを特徴とする高周波シールドケース。
【請求項３】
前記引掛固定手段は、
前記回路基板に取付けられたアンカーと、
クランク形状の両端が前記蓋に回転軸となって取付けられ、回転外周側のバー部分が前記アンカーと引っ掛かるフックとを備える
ことを特徴とする請求項１、又は２記載の高周波シールドケース。
【請求項４】
前記引掛固定手段は、
前記回路基板に、前記蓋の所定の配置位置の外縁に取付けられたアンカーと、
コ字状の形状により前記蓋を跨って覆う構造で、前記回路基板側の端部分が前記アンカーと引っ掛かる引掛部を備えるフックとを備える
ことを特徴とする請求項１、又は２記載の高周波シールドケース。
【請求項５】
前記引掛固定手段は、
前記回路基板の前記蓋の所定の配置位置の外縁に取付けられたアンカーと、
形状保持性と剛性を有するワイヤリング状の前記アンカーと引っ掛かるフックとを備える
ことを特徴とする請求項１、又は２記載の高周波シールドケース。
【請求項６】
前記引掛固定手段は、
アンカーとして、
支柱又は、板面状の構造物が前記回路基板の上方より前記蓋が挿入される様に前記挿入される蓋の対向する側面を挟み込む様に前記回路基板に前記蓋の所定の配置位置の外縁へ取付けられ、
その挿入側は基板方向に向かって狭くなるようテーパ状になり、そのテーパ終了部分が切り欠けられ、前記テーパ終了部分を通り過ぎて挿入された前記蓋の天板部分をフックとして上方から引掛固定する引掛部を備える
ことを特徴とする請求項１、又は２記載の高周波シールドケース。
【請求項７】
前記引掛固定手段は、
前記回路基板に前記蓋の所定の配置位置の外縁に設けられるアンカーホールによるアンカーと、
コ字状の形状により前記回路基板の所定の位置に置かれた前記蓋を跨って覆い、前記回路前記コ字状の先端が前記アンカーホールと引っ掛かる引掛部を備えるフックとを
備えることを特徴とする請求項１、又は２記載の高周波シールドケース。
【請求項８】
前記引掛固定手段となる前記フックと前記アンカーとの組のうち、前記外縁の対向する側面の一方の前記フックと前記アンカーとの組は、蝶番に置換えられている
ことを特徴とする請求項４、６、７何れか１つに記載の高周波シールドケース。
【請求項９】
回路基板のシールド用の導電部分と、導電性のパッキンと、シールド用の蓋と、引掛固定手段とを備え、前記回路基板に設けられた電子回路を電気的にシールドする高周波シールドケースの取付方法において、
前記引掛固定手段として前記蓋と前記回路基板の何れか一方にフック、他方にアンカーが設けられ、
前記前記回路基板のシールド用の導電部分と、前記蓋との間で押圧が生じる量の前記導電性のパッキンが置かれ、前記フックが前記アンカーを引っ掛けると前記パッキンが変形して前記蓋と前記回路基板の間を隙間無く、且つ前記パッキンの反発力により前記アンカーと前記フックとが緩むこと無く引掛固定されて前記蓋が前記回路基板に取付けられる
ことを特徴とする高周波シールドケースの取付方法。
【請求項１０】
前記引掛固定手段は、
前記回路基板に取付けられたアンカーと、
クランク形状の両端が前記蓋に回転軸となって取付けられ、回転外周側のバー部分が前記アンカーと引っ掛かるフックとを備える
ことを特徴とする請求項９記載の高周波シールドケースの取付方法。
【請求項１１】
前記引掛固定手段は、
前記回路基板に、前記蓋の所定の配置位置の外縁に取付けられたアンカーと、
コ字状の形状により前記蓋を跨って覆う構造で、前記回路基板側の端部分が前記アンカーと引っ掛かる引掛部を備えるフックとを備える
ことを特徴とする請求項９記載の高周波シールドケースの取付方法。
【請求項１２】
前記引掛固定手段は、
前記回路基板の前記蓋の所定の配置位置の外縁に取付けられたアンカーと、
形状保持性と剛性を有するワイヤリング状の前記アンカーと引っ掛かるフックとを備える
ことを特徴とする請求項９記載の高周波シールドケースの取付方法。
【請求項１３】
前記引掛固定手段は、
アンカーとして、
支柱又は、板面状の構造物が前記回路基板の上方より前記蓋が挿入される様に前記挿入される蓋の対向する側面を挟み込む様に前記回路基板に前記蓋の所定の配置位置の外縁へ取付けられ、
その挿入側は基板方向に向かって狭くなるようテーパ状になり、そのテーパ終了部分が切り欠けられ、前記テーパ終了部分を通り過ぎて挿入された前記蓋の天板部分をフックとして上方から引掛固定する引掛部を備える
ことを特徴とする請求項９記載の高周波シールドケースの取付方法。
【請求項１４】
前記引掛固定手段は、
前記回路基板に前記蓋の所定の配置位置の外縁に設けられるアンカーホールによるアンカーと、
コ字状の形状により前記回路基板の所定の位置に置かれた前記蓋を跨って覆い、前記回路前記コ字状の先端が前記アンカーホールと引っ掛かる引掛部を備えるフックとを
備えることを特徴とする請求項９記載の高周波シールドケースの取付方法。
【請求項１５】
前記引掛固定手段となる前記フックと前記アンカーとの組のうち、前記外縁の対向する側面の一方の前記フックと前記アンカーとの組は、蝶番に置換えられている
ことを特徴とする請求項、１１、１３、１４何れか１つに記載の高周波シールドケースの取付方法。
【発明の詳細な説明】
【技術分野】
【０００１】
本発明は、印刷基板に取り付ける高周波シールドケースおよびその取付方法に関する。
【背景技術】
【０００２】
コンピュータの処理速度の向上や、超高周波の無線通信など高周波回路において、例えば、低レベル増幅器での他からの電磁干渉回避、もしくは、高速スイッチングやドライバ回路等からの不要電磁放射を避けるために、印刷基板の様な回路基板上で、特定の回路部分をシールドする場合がある。この場合、シールドの金属製の蓋を回路基板に被せ、蓋が回路基板のグランド面と接触するようにして、蓋に覆われた回路部分をシールドしている。
【０００３】
回路基板のグランド面と蓋との接触部分は、隙間が無いようにしてシールド効果を保たねばならないので蓋に溝を作り導電性のゴム材料等のパッキンを埋め込むか、又は蓋と基板の間にシート状のゴムを挟み込み、蓋をネジ止めして固定する。
【０００４】
図１２は、従来の高周波シールドケースの取付構造の一例を示す組立構造図である。  
図１２において、従来の高周波シールドケースは、蓋１００、パッキン２００、止めネジ３００、基板５００とを備える。蓋１００の底部には溝１１０があり、パッキン２００が溝１１０から突出するように充填、挿入される。パッキン２００は、導電ゴム、又は綿状の金属等の弾性を有する導電性のパッキンであって、蓋１００が止めネジ３００によって基板５００へ固定された時、このパッキン２００の突出部が基板５００のグランド部５１０と接触し、蓋１００と基板５００により覆われた電子回路部分を電気的にシールドする。
【０００５】
止めネジの固定間隔は、隙間からのスリット効果による電磁波の漏洩を防ぐために取り扱う信号の周波数の波長よりも短い間隔にして複数設ける必要があり、パッキンを確実に止めなければならず、ネジ穴３１０に止めネジ３００を挿入してナット３３０（又は、基板のネジタップ）と捻合しなければならないため、調整、点検作業の際に不便である問題があった。
【０００６】
固定用のネジ穴を多数設ける代わりに、例えば、蓋と基板やシャーシとの間で予め遮蔽効果に必要な間隔で固定側と蓋のどちらかに接触子を設ける方法（例えば、特許文献１。）もあるが、ネジ止めが必要なことには変わりなく、多少良くなるにしても、作業性が悪い問題が有った。
【特許文献１】特開２００１−１３００９１号公報  （第５頁、第４図）
【発明の開示】
【発明が解決しようとする課題】
【０００７】
従来のシールドケースでは、シールド効果を確実にするため蓋を固定するのにネジ穴にビスを挿入してネジ止め固定しなければならないため、調整、点検作業の際に不便である問題があった。
【０００８】
本発明の高周波シールドケースは、上記問題を解決するためになされたもので、脱着作業性が良い高周波シールドケースとその取付方法を提供することを目的とする。
【課題を解決するための手段】
【０００９】
上記目的を達成するために、本発明の高周波シールドケースは、回路基板に設けられた電子回路を電気的にシールドする高周波シールドケースにおいて、前記回路基板のシールド用の導電部分と接触する導電性のパッキンと、前記回路基板と前記パッキンを挟んで取り付けられるシールド用の蓋と、前記回路基板と前記蓋とを引っ掛けて固定する引掛固定手段とを備えることを特徴とする。
【００１０】
また、本発明の高周波シールドケースの取付方法は、回路基板のシールド用の導電部分と、導電性のパッキンと、シールド用の蓋と、引掛固定手段とを備え、前記回路基板に設けられた電子回路を電気的にシールドする高周波シールドケースの取付方法において、前記引掛固定手段として前記蓋と前記回路基板の何れか一方にフック、他方にアンカーが設けられ、前記前記回路基板のシールド用の導電部分と、前記蓋との間で押圧が生じる量の前記導電性のパッキンが置かれ、前記フックが前記アンカーを引っ掛けると前記パッキンが変形して前記蓋と前記回路基板の間を隙間無く、且つ前記パッキンの反発力により前記アンカーと前記フックとが緩むこと無く引掛固定されて前記蓋が前記回路基板に取付けられることを特徴とする。
【発明の効果】
【００１１】
本発明によれば、脱着作業性が良い高周波シールドケースとその取付方法を提供することが出来る。
【発明を実施するための最良の形態】
【００１２】
以下、図面を参照して本発明の実施例を説明する。
【実施例】
【００１３】
図１は、本発明の実施例に係わる高周波シールドケースの構造を説明する組立構造図である。  
図１において、高周波シールドケースは、金属製の蓋１、パッキン２、フック３、アンカー４、基板５とを備える。蓋１の底部には溝１１があり、パッキン２が溝１１から突出するように充填、挿入される。パッキン２は、導電ゴム、又は綿状の金属等の弾性を有する導電性のパッキンであって、蓋１が引掛手段であるフック３とアンカー４によって基板５へ固定された時、この突出部が基板５のグランド部５１と接触し、蓋１と基板５により覆われた電子回路部分を電気的にシールドする。
【００１４】
パッキン２は、蓋１がフック３とアンカー４によって基板５へ引掛固定されると、その引掛けの際生じる押圧力によって圧縮、変形され蓋１と基板５との間が隙間無く抑えられる。なお、パッキン２にＯリング状の成型物や、弾力性ゴムシート、またマット状のものを用い、基板５の上でのパッキン２の位置が移動可能な場合、もしくは接着等が行われている場合であっても、パッキン２の導電性により電気シールド効果が保たれ、パッキン２の反発力によって生じる圧力が引掛け固定に利用出来る様に取り付けられる限り溝１１が省略されても良い。
【００１５】
図２は、引掛固定するフック３とアンカー４の取付状態を示す取付説明図である。
【００１６】
図２（ａ）において、フック３は、取付部３１を軸にしてアーム３２が蓋１に取り付けられ、バー３３がアンカー４に引っ掛かる。
【００１７】
アンカー４は、壁、板、又は、支柱状であり、その一端は、バー３３を引掛ることが出来る様に、「レ」字状の折り返し、又は切り欠き構造の引掛部４５１を有し、他端が基板５に固定される。アンカー４の固定方法は、金属製でグランド部５１と半田付けされるか、または、プラスティック製の場合では基板５へネジ止めされる等の方法である。
【００１８】
アーム３２の回転半径は、アンカー４の引掛部４５１まで届く長さである。
【００１９】
フック３は、例えば、金属製の棒、又は、針金の様な線状の材質で作成されても良いし、又は、金属板を整形したもの、もしくはプラスティックの様な剛性のある材料を整形したものなど、適宜材料、形状が選択される。
【００２０】
蓋１は、バー３３が基板５に固定されたアンカー４に引き掛かることによって基板５に固定される。フック３は、パッキン２の弾性、反発力により、アンカー４に安定して緩むことなく引掛るので、パッキン２の厚さ、又は突出量は、この引掛固定に十分な量の反発力が生じる程度にされる。そして、パッキン２は、圧縮、変形され蓋１と、基板５との間に隙間が無くなり、シールドに必要な密着度になる。
【００２１】
また、フック３とアンカー４とは、蓋１の対向する両側面の２カ所に設けるものであるか、又は、対向する２つの側面毎、合計４カ所で設けるものであっても良い。
【００２２】
なお、図２とは反対に、基板５側にフック３が設けられ、アンカー４が蓋１に設けられるものでも良い。
【００２３】
図３は、フック３の形状の第１の変形例を示す構造図である。  
図３において、フック３は、アーム３２とバー３３からなるクランクの形状が「コ」字状から「Ｖ」字状になって、フック３をアンカー４へワンポイントで容易に取り付けられる様に作業性が良くなる。特に、蓋１が小型で有ればこの形状は有効である。
【００２４】
図４は、フック１つに対して複数のアンカー４を設ける場合の高周波シールドケースの取付構造図である。
【００２５】
図４において、クランク形状は、「コ」字状であるが、バー３３を複数（ここでは２カ所）の位置で止めるように、アンカー４が２つ設けられている。これは、図３の場合とは逆に蓋１が大きな場合にフック３を２カ所のアンカー４で操作性良く止めることが出来る様になる。
【００２６】
図５は、フックが１個の脱着可能な構造な場合の高周波シールドケースの取付構造図である。  
図５に於いて、フック３は、取付部３１が省略され、フック３が蓋１を跨って蓋１の両側面に設けられたアンカー４に引っかかるようにしたものである。フック３は、側面から見ると「コ」字状になった形状で、アンカー４と引掛固定が出来る様、フック３には、アンカー４の引掛部と対応する引掛窓３４、又は、図示しないが折曲げ、切欠き構造等による引掛部が設けられる。図５の取付方法の場合、フック３は、蓋１に沿うようにして押し込むだけで良いので保守点検時などの組み立て作業性が良い。
【００２７】
また、アンカー４と「コ」字状のフック３とを金属板とすることにより半田付け、ネジ止め等により基板に取り付けられた電子回路部品からの発熱をグランド部５１を介してアンカー４からフック３、および蓋へ逃がす放熱効果を得ることが出来る。
【００２８】
図６は、図５におけるフックの更なる変形例であって、板金構成の代わりに形状保持性と剛性を備えたワイヤリング状のフック３Ｘで、蓋１をアンカー４と渡掛けして固定する。フック３Ｘは、蓋１の上部にかかる部分が、凸（又は、凹でも同様である。）状に整形された場合には、アンカー４にフック３を引掛ける際、フック３を引っ張ることにより整形された部分が変形し伸びることにより容易にアンカーと引掛やすくなり、脱着の作業性が改善される。応用例としてワイヤリングの代わりにブチルゴム等の弾性ゴム材料を用いて、アンカー４と渡掛け固定するものであっても良い。
【００２９】
また、図５、図６に示される変形例は、取付部３１が無いので蓋１（高周波シールドケース）の構造が簡単になり、部品点数、作業工数等製造コストを抑えることが可能になる。
【００３０】
図７は、フックと蓋とが一体化した高周波シールドケースの構造図である。  
図７において、蓋１の形状は、アンカー４と引掛るフック３として機能するようになっている。即ち、基板５に板状の弾性の剛性材料のアンカー４（＃１）、（＃２）が蓋１の両側面で対向して蓋１を挟み込むように取付られる。このアンカー４の爪部分の根本が蓋１の天板部分に引っかかる引掛部４５１になっている。アンカー４の引掛部４５１と蓋１の天板部分の縁部１５は鋭利にされ、引掛部４５１が押さえ易い構造である。アンカー４の引掛部４５１を含む蓋が挿入される部位は基板５へ向かって狭くなるようなテーパー構造になっている。なお、アンカー４が金属製で有れば、図５に示す例と同様、放熱効果を得ることが出来る。
【００３１】
取付時は、蓋１が基板５の上から挿入され、蓋１が被挿入部位、即ちアンカー４のテーパー部位を通過中に外側に向け押し広げ、更に蓋１の天板部の縁部１５が引掛部４５１を通り過ぎると蓋部１の底部がパッキン２を押しつける。そしてアンカー４は、元の内側へ向かって戻り、引掛部４５１が、縁部１５を上から抑え付け蓋１を固定する。蓋１から手を離しても、パッキン２の反発力で引掛状態が継続し蓋１が基板５に固定される。
【００３２】
図８は、基板５に設けられた穴がアンカーとして機能する高周波シールドケースの構造図である。  
図８（ａ）において、フック３の「コ」字状の先端部は、図７のアンカーの先端部と同様な形状で、引掛部３５１を有している。フック３は、弾性体であって、蓋１を上部から抑えるようにアンカーとして機能するアンカーホール４０の穴へ先端部が挿入される。アンカーホール４０は、長方形の形状をしており、蓋１の側面から離れた辺ａが、フック３の外向きの引掛部３５１と引掛る。フック３は、挿入されるに従いアーム３２が内側、即ちアンカーホールの辺ｂ方向に撓み、再奥部に挿入されたとき撓みが開放され、フック３の引掛部３５１と辺ａとが引掛る。挿入後の引掛は、パッキン２の反発力により継続される。なお、引掛部３５１は、図８とは反対側の内側に向かって設けられても良い。
【００３３】
図９、図１０、図１１は、それぞれ図７、図８、図５における高周波シールドケースの変形例を示す取付構想図である。  
図７、図８、図５で蓋の対向する側面両側に設けられたフック３とアンカー４、又は、アンカーホール４０との組が、図９、図１０、図１１においては、片側が蝶番１２になり蝶番１２によって基板５に元の組を構成していた蓋１又は、フック３の部分が係留され、フックとアンカーの組による引掛固定は、残りの対向側で行われる。この方法では、扉を開け閉めするのと同様な要領で更に容易に高周波シールドケースを脱着出来る様になる。
【００３４】
また、本発明は、上記主旨を逸脱しない範囲で、構成、組み合わせが替えられても良い。例えば、図８ではフック３と蓋１とが分離した構造で説明したがフック３が蓋１の天板部でネジ止め、又は接着、溶接等の手段で固定され、一体化されているものであっても良いことは言うまでもない。
【００３５】
以上述べた如く、本発明による高周波シールドケースは、シールドケースである蓋を基板にパッキングの反発力を利用した引掛固定手段により固定するので容易にシールドケースが脱着出来るので作業性が良い。
【図面の簡単な説明】
【００３６】
【図１】本発明の実施例に係わる高周波シールドケースの組立構造図。
【図２】引掛固定するフックとアンカーとの取付状態を示す取付説明図。
【図３】フック形状の第１の変形例を示す構造図。
【図４】フック１つに複数のアンカーを設けた高周波シールドケースの取付構造図。
【図５】フックが１個の脱着可能な構造である高周波シールドケースの取付構造図。
【図６】フックの更なる変形例を示す高周波シールドケースの構造図。
【図７】フックと蓋とが一体化した高周波シールドケースの構造図。
【図８】基板に設けられた穴がアンカーとして機能する高周波シールドケースの構造図。
【図９】図７における高周波シールドケースの変形例を示す取付構想図。
【図１０】図８における高周波シールドケースの変形例を示す取付構想図。
【図１１】図５における高周波シールドケースの変形例を示す取付構想図。
【図１２】従来の高周波シールドケースの取付構造の一例を示す組立構造図。
【符号の説明】
【００３７】
１  蓋
１１  溝
１５  縁部
２  パッキン
３、３Ｘ  フック
３１  取付部
３２  アーム
３３  バー
３５１、４５１  引掛部
４  アンカー
４０  アンカーホール
【図１】
2008244130.tif 000003
【図２】
2008244130.tif 000004
【図３】
2008244130.tif 000005
【図４】
2008244130.tif 000006
【図５】
2008244130.tif 000007
【図６】
2008244130.tif 000008
【図７】
2008244130.tif 000009
【図８】
2008244130.tif 000010
【図９】
2008244130.tif 000011
【図１０】
2008244130.tif 000012
【図１１】
2008244130.tif 000013
【図１２】
2008244130.tif 000014